【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の無線アクセス技術（ＲＡＴ）にしたがって動作する第１のモデムによって、前記第１のＲＡＴにしたがって動作する少なくとも１つのネットワークエンティティからメッセージを受信することと、ここにおいて、前記受信されたメッセージは、測定されたエネルギーレベルで前記第１のモデムによって検出される、
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することと、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送ることと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
前記第１のモデムから受信された前記検出されたエネルギーレベル値に基づいてエネルギー検出しきい値を調整することと
を備える、方法。
【請求項２】
前記第２のモデムによって、前記検出されたエネルギーレベル値がデフォルトのエネルギー検出しきい値を下回ると決定することをさらに備え、ここにおいて、前記エネルギー検出しきい値を調整することは、前記第１のモデムから受信された前記検出されたエネルギーレベル値が前記デフォルトのエネルギー検出しきい値を下回ると決定することに基づいて調整することを含む、請求項１に記載の方法。
【請求項３】
前記第２のモデムによって、前記調整されたエネルギー検出しきい値に基づいて通信チャネル中の干渉レベルを決定することをさらに備える、
請求項１に記載の方法。
【請求項４】
前記第１のモデムまたは前記第２のモデムの一方によって、前記検出されたエネルギーレベル値に基づいて前記エネルギー検出しきい値を調整することをさらに備える、
請求項１に記載の方法。
【請求項５】
前記第１のモデムによって、前記測定されたエネルギーレベルと前記後続の測定されたエネルギーレベルとを含む複数の測定されたエネルギーレベルの中の最小の測定されたエネルギーレベルを決定することと、
前記第１のモデムによって、前記決定された最小の測定されたエネルギーレベルを前記検出されたエネルギーレベル値として設定することと
をさらに備える、請求項１に記載の方法。
【請求項６】
前記検出されたエネルギーレベル値を送ることは、前記受信されたメッセージまたは前記後続のメッセージの一方または両方に関連付けられたヘッダ情報を、前記第１のモデムによって前記第２のモデムに送ることを含む、請求項１に記載の方法。
【請求項７】
前記第１のモデムまたは前記第２のモデムの一方によって、前記測定されたエネルギーレベルと前記後続の測定されたエネルギーレベルとをフィルタリングすることと、
前記第１のモデムまたは前記第２のモデムの一方によって、前記受信されたメッセージに関連付けられた前記測定されたエネルギーレベルと前記後続の測定されたエネルギーレベルとから、前記検出されたエネルギーレベル値を決定することと
をさらに備える、請求項６に記載の方法。
【請求項８】
前記第１のモデムによって、前記検出されたエネルギーレベル値を前記送る前に、定義された期間の間、待機することと、
前記第１のモデムによって、前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記第１のモデムによって、および前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと
をさらに備え、
前記検出されたエネルギーレベル値を前記送ることは、前記定義された期間の満了に応答して送ることを備える、請求項１に記載の方法。
【請求項９】
前記エネルギー検出しきい値を調整することは、前記第１のモデムから受信された前記検出されたエネルギーレベル値に基づいて前記エネルギー検出しきい値を低減することを含む、請求項１に記載の方法。
【請求項１０】
前記エネルギー検出しきい値を調整することは、前記検出されたエネルギーレベル値の関数として調整することを含む、請求項１に記載の方法。
【請求項１１】
前記検出されたエネルギーレベル値は、定義された時間期間にわたる、１つまたは複数の復号されたプリアンブルの受信信号強度インジケータ（ＲＳＳＩ）値である、請求項１に記載の方法。
【請求項１２】
前記第１のＲＡＴは、ワイヤレスローカルエリアネットワークにしたがって動作し、前記第２のＲＡＴは、ワイヤレスワイドエリアネットワークにしたがって動作する、請求項１に記載の方法。
【請求項１３】
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信することをさらに備える、
請求項１に記載の方法。
【請求項１４】
ワイヤレス通信のための装置であって、
第１の無線アクセス技術（ＲＡＴ）にしたがって動作することと、
前記第１のＲＡＴを使用する少なくとも１つのネットワークエンティティからメッセージを受信することと、ここにおいて、前記受信されたメッセージは、測定されたエネルギーレベルで第１のモデムによって検出される、
前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することと、
前記受信されたメッセージの前記測定されたエネルギーレベルに少なくとも基づく検出されたエネルギーレベル値を送ることと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
を行うように構成された前記第１のモデムと、
前記第１のＲＡＴとは異なる第２のＲＡＴにしたがって動作することと、
前記第１のモデムから受信された前記検出されたエネルギーレベル値に基づいてエネルギー検出しきい値を調整することと
を行うように構成された第２のモデムと
を備える、装置。
【請求項１５】
前記第２のモデムは、前記検出されたエネルギーレベル値がデフォルトのエネルギー検出しきい値を下回ると決定するようにさらに構成され、ここにおいて、前記第２のモデムは、前記第１のモデムから受信された前記検出されたエネルギーレベル値が前記デフォルトのエネルギー検出しきい値を下回ると決定することに基づいて前記エネルギー検出しきい値を調整するようにさらに構成される、請求項１４に記載の装置。
【請求項１６】
前記第２のモデムは、前記調整されたエネルギー検出しきい値に基づいて通信チャネル中の干渉レベルを決定するようにさらに構成される、請求項１４に記載の装置。
【請求項１７】
前記第１のモデムまたは前記第２のモデムの一方または両方が、前記検出されたエネルギーレベル値に基づいて前記エネルギー検出しきい値を調整するように構成される、請求項１４に記載の装置。
【請求項１８】
前記第１のモデムは、
前記測定されたエネルギーレベルと前記後続の測定されたエネルギーレベルとを含む複数の測定されたエネルギーレベルの中の最小の測定されたエネルギーレベルを決定することと、
前記決定された最小の測定されたエネルギーレベルを前記検出されたエネルギーレベル値として設定することと
を行うようにさらに構成される、請求項１４に記載の装置。
【請求項１９】
前記検出されたエネルギーレベル値を送ることは、前記第１のモデムが、前記受信されたメッセージまたは前記後続のメッセージの一方または両方に関連付けられたヘッダ情報を送るようにさらに構成されることを含む、請求項１４に記載の装置。
【請求項２０】
前記第１のモデムまたは前記第２のモデムの一方は、
前記測定されたエネルギーレベルと前記後続の測定されたエネルギーレベルとをフィルタリングすることと、
前記受信されたメッセージに関連付けられた前記測定されたエネルギーレベルと前記後続の測定されたエネルギーレベルとから前記検出されたエネルギーレベル値を決定することと
を行うように構成される、請求項１９に記載の装置。
【請求項２１】
前記第１のモデムは、
前記検出されたエネルギーレベル値を送る前に、定義された期間の間、待機することと、
前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと、
前記定義された期間の満了に応答して前記検出されたエネルギーレベル値を送ることと
を行うようにさらに構成される、請求項１４に記載の装置。
【請求項２２】
前記エネルギー検出しきい値を調整するために、前記第１のモデムまたは前記第２のモデムの一方は、前記第１のモデムから受信された前記検出されたエネルギーレベル値に基づいて前記エネルギー検出しきい値を低減するように構成される、請求項１４に記載の装置。
【請求項２３】
前記エネルギー検出しきい値を調整するために、前記第１のモデムまたは前記第２のモデムの一方は、前記検出されたエネルギーレベル値の関数として調整するように構成される、請求項１４に記載の装置。
【請求項２４】
前記検出されたエネルギーレベル値は、定義された時間期間にわたる、１つまたは複数の復号されたプリアンブルの受信信号強度インジケータ（ＲＳＳＩ）値である、請求項１４に記載の装置。
【請求項２５】
前記第１のＲＡＴは、ワイヤレスローカルエリアネットワークにしたがって動作し、前記第２のＲＡＴは、ワイヤレスワイドエリアネットワークにしたがって動作する、請求項１４に記載の装置。
【請求項２６】
前記第１のモデムまたは前記第２のモデムの一方または両方は、
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信するように構成される、
請求項１４に記載の装置。
【請求項２７】
ワイヤレス通信のための装置であって、
第１の無線アクセス技術（ＲＡＴ）を介して、前記第１のＲＡＴにしたがって動作する少なくとも１つのネットワークエンティティからメッセージを受信するための手段と、ここにおいて、前記受信されたメッセージは、測定されたエネルギーレベルで検出される、
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するための手段と、
前記第１のＲＡＴとは異なる第２のＲＡＴを介して、前記受信されたメッセージの前記測定されたエネルギーレベルに少なくとも基づく検出されたエネルギーレベル値を送るための手段と、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
前記検出されたエネルギーレベル値に基づいてエネルギー検出しきい値を調整するための手段と
を備える、装置。
【請求項２８】
ワイヤレス通信のためのコンピュータ実行可能コードを記憶する非一時的なコンピュータ可読媒体であって、
第１の無線アクセス技術（ＲＡＴ）にしたがって動作する第１のモデムによって、前記第１のＲＡＴにしたがって動作する少なくとも１つのネットワークエンティティからメッセージを受信するようにプロセッサによって実行可能なコードと、ここにおいて、前記受信されたメッセージは、測定されたエネルギーレベルで前記第１のモデムによって検出される、
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するようにプロセッサによって実行可能なコードと、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送るように前記プロセッサによって実行可能なコードと、ここにおいて、前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
前記第１のモデムから受信された前記検出されたエネルギーレベル値に基づいてエネルギー検出しきい値を調整するように前記プロセッサによって実行可能なコードと
を備える、非一時的なコンピュータ可読媒体。
【手続補正２】
【補正対象書類名】明細書
【補正対象項目名】０１１５
【補正方法】変更
【補正の内容】
【０１１５】
[0105]  本開示の先の説明は、当業者が本開示を製造または使用することを可能にするために提供されている。本開示に対する様々な修正は、当業者には容易に明らかとなり、本明細書で定義された包括的な原理は、本開示の精神または範囲から逸脱せずに、他の変形物に適用され得る。したがって、本開示は、本明細書に説明されている例および設計に限定されるようには意図されておらず、本明細書に開示されている原理および新規の特徴と矛盾しない最大範囲であると認められるべきである。
以下に本願の出願当初の特許請求の範囲に記載された発明を付記する。
［Ｃ１］
ワイヤレス通信の方法であって、
第１の無線アクセス技術（ＲＡＴ）にしたがって動作する第１のモデムによって、前記第１のＲＡＴにしたがって動作する少なくとも１つのネットワークエンティティからメッセージを受信することと、ここにおいて、前記受信されたメッセージは、測定されたエネルギーレベルで前記第１のモデムによって検出される、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送ることと、
前記第１のモデムから受信された前記検出されたエネルギーレベル値に基づいてエネルギー検出しきい値を調整することと
を備える、方法。
［Ｃ２］
前記第２のモデムによって、前記検出されたエネルギーレベル値がデフォルトのエネルギー検出しきい値を下回ると決定することをさらに備え、ここにおいて、前記エネルギー検出しきい値を調整することは、前記第１のモデムから受信された前記検出されたエネルギーレベル値が前記デフォルトのエネルギー検出しきい値を下回ると決定することに基づいて調整することを含む、Ｃ１に記載の方法。
［Ｃ３］
前記第２のモデムによって、前記調整されたエネルギー検出しきい値に基づいて通信チャネル中の干渉レベルを決定することをさらに備える、
Ｃ１に記載の方法。
［Ｃ４］
前記第１のモデムまたは前記第２のモデムの一方によって、前記検出されたエネルギーレベル値に基づいて前記エネルギー検出しきい値を調整することをさらに備える、
Ｃ１に記載の方法。
［Ｃ５］
前記第１のモデムによって、前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信することをさらに備え、
前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
Ｃ１に記載の方法。
［Ｃ６］
前記第１のモデムによって、前記測定されたエネルギーレベルと前記後続の測定されたエネルギーレベルとを含む複数の測定されたエネルギーレベルの中の最小の測定されたエネルギーレベルを決定することと、
前記第１のモデムによって、前記決定された最小の測定されたエネルギーレベルを前記検出されたエネルギーレベル値として設定することと
をさらに備える、Ｃ５に記載の方法。
［Ｃ７］
前記検出されたエネルギーレベル値を送ることは、前記受信されたメッセージまたは前記後続のメッセージの一方または両方に関連付けられたヘッダ情報を、前記第１のモデムによって前記第２のモデムに送ることを含む、Ｃ５に記載の方法。
［Ｃ８］
前記第１のモデムまたは前記第２のモデムの一方によって、前記測定されたエネルギーレベルと前記後続の測定されたエネルギーレベルとをフィルタリングすることと、
前記第１のモデムまたは前記第２のモデムの一方によって、前記受信されたメッセージに関連付けられた前記測定されたエネルギーレベルと前記後続の測定されたエネルギーレベルとから、前記検出されたエネルギーレベル値を決定することと
をさらに備える、Ｃ７に記載の方法。
［Ｃ９］
前記第１のモデムによって、前記検出されたエネルギーレベル値を前記送る前に、定義された期間の間、待機することと、
前記第１のモデムによって、前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記第１のモデムによって、および前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと
をさらに備え、
前記検出されたエネルギーレベル値を前記送ることは、前記定義された期間の満了に応答して送ることを備える、Ｃ１に記載の方法。
［Ｃ１０］
前記エネルギー検出しきい値を調整することは、前記第１のモデムから受信された前記検出されたエネルギーレベル値に基づいて前記エネルギー検出しきい値を低減することを含む、Ｃ１に記載の方法。
［Ｃ１１］
前記エネルギー検出しきい値を調整することは、前記検出されたエネルギーレベル値の関数として調整することを含む、Ｃ１に記載の方法。
［Ｃ１２］
前記検出されたエネルギーレベル値は、定義された時間期間にわたる、１つまたは複数の復号されたプリアンブルの受信信号強度インジケータ（ＲＳＳＩ）値である、Ｃ１に記載の方法。
［Ｃ１３］
前記第１のＲＡＴは、ワイヤレスローカルエリアネットワークにしたがって動作し、前記第２のＲＡＴは、ワイヤレスワイドエリアネットワークにしたがって動作する、Ｃ１に記載の方法。
［Ｃ１４］
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信することをさらに備える、
Ｃ１に記載の方法。
［Ｃ１５］
ワイヤレス通信のための装置であって、
第１の無線アクセス技術（ＲＡＴ）にしたがって動作することと、
前記第１のＲＡＴを使用する少なくとも１つのネットワークエンティティからメッセージを受信することと、ここにおいて、前記受信されたメッセージは、測定されたエネルギーレベルで第１のモデムによって検出される、
前記受信されたメッセージの前記測定されたエネルギーレベルに少なくとも基づく検出されたエネルギーレベル値を送ることと
を行うように構成された前記第１のモデムと、
前記第１のＲＡＴとは異なる第２のＲＡＴにしたがって動作することと、
前記第１のモデムから受信された前記検出されたエネルギーレベル値に基づいてエネルギー検出しきい値を調整することと
を行うように構成された第２のモデムと
を備える、装置。
［Ｃ１６］
前記第２のモデムは、前記検出されたエネルギーレベル値がデフォルトのエネルギー検出しきい値を下回ると決定するようにさらに構成され、ここにおいて、前記第２のモデムは、前記第１のモデムから受信された前記検出されたエネルギーレベル値が前記デフォルトのエネルギー検出しきい値を下回ると決定することに基づいて前記エネルギー検出しきい値を調整するようにさらに構成される、Ｃ１５に記載の装置。
［Ｃ１７］
前記第２のモデムは、前記調整されたエネルギー検出しきい値に基づいて通信チャネル中の干渉レベルを決定するようにさらに構成される、Ｃ１５に記載の装置。
［Ｃ１８］
前記第１のモデムまたは前記第２のモデムの一方または両方が、前記検出されたエネルギーレベル値に基づいて前記エネルギー検出しきい値を調整するように構成される、Ｃ１５に記載の装置。
［Ｃ１９］
前記第１のモデムは、
前記少なくとも１つのネットワークエンティティまたは前記第１のＲＡＴにしたがって動作する前記少なくとも１つのネットワークエンティティとは異なる別個のネットワークエンティティのうちの一方から後続のメッセージを受信するようにさらに構成され、
前記後続のメッセージは、後続の測定されたエネルギーレベルで前記第１のモデムによって検出され、前記検出されたエネルギーレベル値は、前記受信されたメッセージの前記測定されたエネルギーレベルと前記後続のメッセージの前記後続の測定されたエネルギーレベルとに基づいて決定される、
Ｃ１５に記載の装置。
［Ｃ２０］
前記第１のモデムは、
前記測定されたエネルギーレベルと前記後続の測定されたエネルギーレベルとを含む複数の測定されたエネルギーレベルの中の最小の測定されたエネルギーレベルを決定することと、
前記決定された最小の測定されたエネルギーレベルを前記検出されたエネルギーレベル値として設定することと
を行うようにさらに構成される、Ｃ１９に記載の装置。
［Ｃ２１］
前記検出されたエネルギーレベル値を送ることは、前記第１のモデムが、前記受信されたメッセージまたは前記後続のメッセージの一方または両方に関連付けられたヘッダ情報を送るようにさらに構成されることを含む、Ｃ１９に記載の装置。
［Ｃ２２］
前記第１のモデムまたは前記第２のモデムの一方は、
前記測定されたエネルギーレベルと前記後続の測定されたエネルギーレベルとをフィルタリングすることと、
前記受信されたメッセージに関連付けられた前記測定されたエネルギーレベルと前記後続の測定されたエネルギーレベルとから前記検出されたエネルギーレベル値を決定することと
を行うように構成される、Ｃ２１に記載の装置。
［Ｃ２３］
前記第１のモデムは、
前記検出されたエネルギーレベル値を送る前に、定義された期間の間、待機することと、
前記定義された期間の間に、前記少なくとも１つのネットワークエンティティまたは前記第１のＲＡＴにしたがって動作する異なるネットワークエンティティから後続のメッセージを受信することと、ここにおいて、前記後続のメッセージは、第２の測定されたエネルギーレベルで前記第１のモデムによって検出される、
前記定義された期間の満了に応答して、前記受信されたメッセージの前記測定されたエネルギーレベルと、前記受信された後続のメッセージの前記第２の測定されたエネルギーレベルとに基づいて、前記エネルギー検出しきい値を決定することと、
前記定義された期間の満了に応答して前記検出されたエネルギーレベル値を送ることと
を行うようにさらに構成される、Ｃ１５に記載の装置。
［Ｃ２４］
前記エネルギー検出しきい値を調整するために、前記第１のモデムまたは前記第２のモデムの一方は、前記第１のモデムから受信された前記検出されたエネルギーレベル値に基づいて前記エネルギー検出しきい値を低減するように構成される、Ｃ１５に記載の装置。
［Ｃ２５］
前記エネルギー検出しきい値を調整するために、前記第１のモデムまたは前記第２のモデムの一方は、前記検出されたエネルギーレベル値の関数として調整するように構成される、Ｃ１５に記載の装置。
［Ｃ２６］
前記検出されたエネルギーレベル値は、定義された時間期間にわたる、１つまたは複数の復号されたプリアンブルの受信信号強度インジケータ（ＲＳＳＩ）値である、Ｃ１５に記載の装置。
［Ｃ２７］
前記第１のＲＡＴは、ワイヤレスローカルエリアネットワークにしたがって動作し、前記第２のＲＡＴは、ワイヤレスワイドエリアネットワークにしたがって動作する、Ｃ１５に記載の装置。
［Ｃ２８］
前記第１のモデムまたは前記第２のモデムの一方または両方は、
前記第１のＲＡＴにしたがって動作する前記少なくとも１つのネットワークエンティティによって認識される第１のシグネチャと、
前記第２のＲＡＴにしたがって動作する１つまたは複数のネットワークエンティティによって認識される第２のシグネチャと
を含む送信メッセージを送信するように構成される、
Ｃ１５に記載の装置。
［Ｃ２９］
ワイヤレス通信のための装置であって、
第１の無線アクセス技術（ＲＡＴ）を介して、前記第１のＲＡＴにしたがって動作する少なくとも１つのネットワークエンティティからメッセージを受信するための手段と、ここにおいて、前記受信されたメッセージは、測定されたエネルギーレベルで検出される、
前記第１のＲＡＴとは異なる第２のＲＡＴを介して、前記受信されたメッセージの前記測定されたエネルギーレベルに少なくとも基づく検出されたエネルギーレベル値を送るための手段と、
前記検出されたエネルギーレベル値に基づいてエネルギー検出しきい値を調整するための手段と
を備える、装置。
［Ｃ３０］
ワイヤレス通信のためのコンピュータ実行可能コードを記憶するコンピュータ可読媒体であって、
第１の無線アクセス技術（ＲＡＴ）にしたがって動作する第１のモデムによって、前記第１のＲＡＴにしたがって動作する少なくとも１つのネットワークエンティティからメッセージを受信するようにプロセッサによって実行可能なコードと、ここにおいて、前記受信されたメッセージは、測定されたエネルギーレベルで前記第１のモデムによって検出される、
前記第１のモデムから前記第１のＲＡＴとは異なる第２のＲＡＴにしたがって動作する第２のモデムに、前記受信されたメッセージの前記測定されたエネルギーレベルに少なくとも基づく検出されたエネルギーレベル値を送るように前記プロセッサによって実行可能なコードと、
前記第１のモデムから受信された前記検出されたエネルギーレベル値に基づいてエネルギー検出しきい値を調整するように前記プロセッサによって実行可能なコードと
を備える、コンピュータ可読媒体。